(57)【要約】      （修正有）【課題】四足動物の保温性能に優れ、発汗が生じた場合でも蒸れの発生や冷えを招くことがない四足動物用の保温衣料を提供する。【解決手段】四足動物の身体を覆って保温する被覆部と、前記被覆部による被覆状態を保持する固定具２０と、を備えて構成される四足動物用の保温衣料１００であって、前記被覆部は少なくとも二層以上の複層生地１０Ａ，１０Ｂで構成され、外気に接触する表側生地層１０Ａの表側面が防水加工されている。【選択図】図１
2019216615.tif 000002
【特許請求の範囲】
【請求項１】
四足動物の身体を覆って保温する被覆部と、前記被覆部による被覆状態を保持する固定具と、を備えて構成される四足動物用の保温衣料であって、
前記被覆部は少なくとも身体に接する肌側生地層と外気に接触する表側生地層を含む二層以上の複層生地で構成され、前記表側生地層の表側面が防水加工されていることを特徴とする四足動物用の保温衣料。
【請求項２】
前記肌側生地層の肌側面が撥水加工されていることを特徴とする請求項１記載の四足動物用の保温衣料。
【請求項３】
前記肌側生地層はキルティング加工されていることを特徴とする請求項１または２記載の四足動物用の保温衣料。
【請求項４】
前記被覆部は四足動物の胴回りを被覆する胴回り被覆部を含むことを特徴とする請求項１から３の何れかに記載の四足動物用の保温衣料。
【請求項５】
前記被覆部は四足動物の腹回りを保温する腹回り被覆部を含むことを特徴とする請求項１から４の何れかに記載の四足動物用の保温衣料。
【請求項６】
前記腹回り被覆部は胸垂から首を保温する首回り被覆部を含むことを特徴とする請求項５記載の四足動物用の保温衣料。
【請求項７】
前記肌側生地層または前記表側生地層の何れかに開口部が形成されていることを特徴とする請求項１から６の何れかに記載の四足動物用の保温衣料。
【請求項８】
前記肌側生地層と前記表側生地層との間に断熱材装着空間が形成され、前記開口部を介して断熱材が挿脱可能に構成されていることを特徴とする請求項７記載の四足動物用の保温衣料。
【請求項９】
前記開口部は前記表側生地層に開閉切替可能に形成されていることを特徴とする請求項７または８記載の四足動物用の保温衣料。
【請求項１０】
前記開口部は前記肌側生地層に開閉切替可能に形成されていることを特徴とする請求項７または８記載の四足動物用の保温衣料。
【請求項１１】
前記肌側生地層と前記表側生地層との間に通気性を備えた中間生地層が設けられていることを特徴とする請求項１から１０の何れかに記載の四足動物用の保温衣料。
【発明の詳細な説明】
【技術分野】
【０００１】
本発明は、四足動物の身体を覆って保温する被覆部と、前記被覆部による被覆状態を保持する固定具と、を備えて構成される四足動物用の保温衣料に関する。
【背景技術】
【０００２】
牛などの四足動物は生後間もない抵抗力の弱い期間に疾病により死亡することが少なくない。特に生後２か月から４か月の間は寒さや昼夜の温度差によって下痢などの疾病に懸りやすいため、様々な保温用の衣料が用いられている。
【０００３】
特許文献１には、このような保温用の衣料として用いられる衣服が提案されている。当該衣服は、展開状態で１枚のシート状であり、四足動物の胴回りに巻きつけて胴回り方向の両端部間に形成した連結手段により連結することにより胴回り全体を被覆することができ、該連結手段は一方の端部に形成される連結具と他方の端部に形成される連結具とからなり、該両連結具が相互に連結可能に形成されており該両連結具が一体に結合されることにより連結されるように構成されている。
【０００４】
そして、前記一方の端部の連結具と他方の端部の連結具の少なくともどちらかの連結具が胴回り方向に所定間隔をおいて複数設定されており、四足動物の胴回りの大きさに応じて複数の連結具のいずれかを選択して連結することが可能に構成されている。
【０００５】
当該衣服によれば、四足動物の胴回りの大きさが異なる場合であっても、胴回り全体を被覆しつつ胴回りの大きさに合わせて衣服の胴回り寸法を調節することができるようになる。
【先行技術文献】
【特許文献】
【０００６】
【特許文献１】特開２００８−２９２５０号公報
【発明の概要】
【発明が解決しようとする課題】
【０００７】
上述した保温用の衣料は、外面が無毛の布で撥水加工され、雨や尿などをはじいて吸水し難くする一方で、僅かながら内面から汗などの湿気の放出を許容するように構成され、内側が有毛に構成され保温性が確保された生地が採用されている。
【０００８】
しかし、撥水加工した生地は、吸水し難いが、水などが長時間付着した状態が続くと吸水してしまうため、例えば加工面に雨滴が付着した状態が続いたり、湿気のある地面に伏せた状態が続いたりすると、生地が吸水してしまい、却って四足動物の体表面を冷やしてしまうという問題があった。
【０００９】
本発明の目的は、上述の問題に鑑み、四足動物の保温性能に優れ、降雨などで外面に水滴が当たるような場合でも、生地に水が浸潤することなく、その後の冷えを招くことがない四足動物用の保温衣料を提供する点にある。
【課題を解決するための手段】
【００１０】
上述の目的を達成するため、本発明による四足動物用の保温衣料の第一の特徴構成は、特許請求の範囲の書類の請求項１に記載した通り、四足動物の身体を覆って保温する被覆部と、前記被覆部による被覆状態を保持する固定具と、を備えて構成される四足動物用の保温衣料であって、前記被覆部は少なくとも身体に接する肌側生地層と外気に接触する表側生地層を含む二層以上の複層生地で構成され、前記表側生地層の表側面が防水加工されている点にある。
【００１１】
四足動物の身体を被覆部で覆い、固定具でその状態が保持されることにより、四足動物用の体表面が保温される。被覆部は少なくとも身体に接する肌側生地層と外気に接触する表側生地層を含む二層以上の複層生地で構成されているため、保温効果が高まるとともに、表側生地層の表側面が防水加工されているため、降雨時や濡れた床面に身体が接触するような場合でも被覆部の表側生地層に水が浸潤するようなことがなく、その後に体表面が冷えるような不都合な事態が発生することがない。
【００１２】
同第二の特徴構成は、同請求項２に記載した通り、上述した第一の特徴構成に加えて、前記肌側生地層の肌側面が撥水加工されている点にある。
【００１３】
身体に接する肌側生地層の肌側面が撥水加工されているため、体表面から出た汗が肌側生地層に容易に浸潤するようなことがなく、気化した湿分が体表面と肌側生地層との隙間から外気に放出されるようになるので、体表面が蒸れたり冷えたりすることが大きく低減される。
【００１４】
同第三の特徴構成は、同請求項３に記載した通り、上述した第一または第二の特徴構成に加えて、前記肌側生地層はキルティング加工されている点にある。
【００１５】
肌側生地層がキルティング加工されていると、縫着線が谷部となり、隣接する縫着線の中央部が山部となる凹凸面が肌に対向し、発汗した汗が谷部を通り抜けて外気へと流出されるようになる。
【００１６】
同第四の特徴構成は、同請求項４に記載した通り、上述した第一から第三の何れかの特徴構成に加えて、前記被覆部は四足動物の胴回りを被覆する胴回り被覆部を含む点にある。
【００１７】
胴回り被覆部によって降雨時でも良好に胴回りからの放熱を阻止して良好に保温できる。
【００１８】
同第五の特徴構成は、同請求項５に記載した通り、上述した第一から第四の何れかの特徴構成に加えて、前記被覆部は四足動物の腹回りを保温する腹回り被覆部を含む点にある。
【００１９】
腹回り被覆部によって腹部の冷えを回避でき、四足動物が伏せた場合に腹部が厩舎の濡れた床面や地面に触れるようなことがあっても、水が浸潤することなく腹回りからの放熱を阻止して良好に保温できる。
【００２０】
同第六の特徴構成は、同請求項６に記載した通り、上述した第五の特徴構成に加えて、前記腹回り被覆部は胸垂から首を保温する首回り被覆部を含む点にある。
【００２１】
また、首部から胸垂には心臓につながる大きな動脈があり、この領域を保温することにより、体温の低下を効果的に回避することができる。
【００２２】
同第七の特徴構成は、同請求項７に記載した通り、上述した第一から第六の何れかの特徴構成に加えて、前記肌側生地層または前記表側生地層の何れかに開口部が形成されている点にある。
【００２３】
仮に撥水加工された肌側生地層を蒸気が透過して肌側生地層及び表側生地層が湿った状態になっても、開口部から速やかに湿気を外部に放出させることができるようになる。
【００２４】
同第八の特徴構成は、同請求項８に記載した通り、上述した第一から第七の何れかの特徴構成に加えて、前記肌側生地層と前記表側生地層との間に断熱材装着空間が形成され、前記開口部を介して断熱材が挿脱可能に構成されている点にある。
【００２５】
肌側生地層と前記表側生地層との間に形成された断熱材装着空間に、湿気放出用の開口部から断熱材を出し入れできるので、状況に応じて保温衣料による保温性を調節できるようになる。
【００２６】
同第九の特徴構成は、同請求項９に記載した通り、上述した第七または第八の特徴構成に加えて、前記開口部は前記表側生地層に開閉切替可能に形成されている点にある。
【００２７】
表側生地層に開閉切替可能な開口部が形成されていると、装着状態で湿気を良好に放出し、あるいは断熱材の出し入れが可能になる。
【００２８】
同第十の特徴構成は、同請求項１０に記載した通り、上述した第七または第八の特徴構成に加えて、前記開口部は前記肌側生地層に開閉切替可能に形成されている点にある。
【００２９】
肌側生地層に開閉切替可能な開口が形成されていると、降雨時に不用意に雨水が内部に流入したり、足動物が伏せた場合に腹部が厩舎の濡れた床面や地面に触れるようなことがあっても、水が内部に流入することがない。
【００３０】
同第十一の特徴構成は、同請求項１１に記載した通り、上述した第一から第十の何れかの特徴構成に加えて、前記肌側生地層と前記表側生地層との間に通気性を備えた中間生地層が設けられている点にある。
【００３１】
中間生地層に通気性を持たせることにより、肌側生地層から内部に透過した湿気を中間生地層に吸収することができ、内部で結露の発生を回避することができる。
【発明の効果】
【００３２】
以上説明した通り、本発明によれば、四足動物の保温性能に優れ、降雨などで外面に水滴が当たるような場合でも、生地に水が浸潤することなく、その後の冷えを招くことがない四足動物用の保温衣料を提供することができるようになった。
【図面の簡単な説明】
【００３３】
【図１】（ａ）は胴回り被覆部の肌側生地層の説明図、（ｂ）は胴回り被覆部の表側生地層の説明図
【図２】（ａ）は首及び腹回り被覆部の肌側生地層の説明図、（ｂ）は首及び腹回り被覆部の表側生地層の説明図
【図３】（ａ）は胴回り被覆部の装着状態の説明図、（ｂ）は首及び腹回り被覆部の装着状態の説明図、（ｃ）は胴回り被覆部と首及び腹回り被覆部の装着状態の説明図
【図４】（ａ）は肌側生地層及び表側生地層を備えた保温衣料の断面図、（ｂ）は肌側生地層及び表側生地層の間に断熱材を備えた保温衣料の断面図
【発明を実施するための形態】
【００３４】
以下、本発明を適用した四足動物用の保温衣料を図面に基づいて説明する。以下では、四足動物として子牛に適用される保温衣料１００を説明するが、当該保温衣料１００は子牛用に限らず、サイズを調整することにより、子馬、子ヤギ、子羊、子豚などの家畜や子犬などの愛玩動物にも適用することができる。
【００３５】
四足動物用の保温衣料は、胴回り用保温衣料と首及び腹回り用保温衣料とで構成されている。
図１（ａ），（ｂ）には、保温衣料１００として胴回り用保温衣料１１０が示され、図２（ａ），（ｂ）には、保温衣料１００として首及び腹回り用保温衣料１１０が示されている。図１（ａ）及び図２（ａ）には保温衣料１００の肌側面が示され、図１（ｂ）及び図２（ｂ）には保温衣料１００の表側面が示されている。
【００３６】
何れも、子牛の身体を覆って保温する被覆部１０と、被覆部１０による被覆状態を保持する固定具２０と、を備えて構成されている。被覆部１０は四足動物の胴回りを被覆する胴回り被覆部１２と、腹回りを保温する腹回り被覆部１４と、胸垂から首を保温する首回り被覆部１６とを含み、本実施形態では腹回り被覆部１４と首回り被覆部１６が一体に構成されている。
【００３７】
図１（ａ），（ｂ）及び図３（ａ）に示すように、胴回り被覆部１２は子牛１の背部を覆うように上方から被せられ、尾部側で子牛１の左右の腿部２に巻き付けて胴回り被覆部１２を固定する一対の腿部固定ベルト２１と、頭部側で子牛１の胸垂４近傍に巻き付けて胴回り被覆部１２を固定する前部ベルト２３を備えている。
【００３８】
腿部固定ベルト２１の先端部には樹脂製の係止具２１Ａ，２１Ｂが設けられ、腿部固定ベルト２１を子牛１の左右の腿部２に巻き付けた後に雌雄の係止具２１Ａ，２１Ｂ同士を係合することにより胴回り被覆部１２を後方から固定するように構成されている。
【００３９】
前部ベルト２３は胴回り被覆部１２の肌側面右方前部（装着状態で頭部を向いた上面視での左右方向、前後方向を基準とする）に縫着固定され、子牛１の胸垂４近傍を左方から右方に巻き付けて、前部ベルト２３の先端側及び胴回り被覆部１２の表側面左方前部（装着状態で頭部を向いた上面視での左右方向、前後方向を基準とする）に設けられた面ファスナー２４を用いて係合固定するように構成されている。
【００４０】
図２（ａ），（ｂ）及び図３（ｂ）に示すように、首及び腹回り被覆部１４，１６は細幅状の連結部１５で連結され、腹回り被覆部１４のうち子牛１の陰部に対応した部位に排尿用の開口部１４Ｈが設けられている腹回り被覆部１４には子牛１の腹部５を覆うように下方つまり腹側から被覆され、背部に巻き付けて固定する前後一対の背部固定ベルト２５，２５が設けられ、首回り被覆部１６には下方から子牛１の首部に巻き付けて固定する首部固定ベルト２７を備えている。
【００４１】
背部固定ベルト２５，２５の先端部には樹脂製の係止具２５Ａ，２５Ｂがそれぞれ設けられ、背部固定ベルト２５，２５を子牛１の背部に巻き付けた後に雌雄の係止具２５Ａ，２５Ｂ同士をそれぞれ係合することにより腹回り被覆部１４を子牛１の腹部に固定するように構成されている。さらに、背部固定ベルト２５，２５のうち、尾部側の背部固定ベルト２５には、子牛１の尾部５のうち尻尾６の下側を通って掛け回すことにより首及び腹回り被覆部１４，１６の頭部側へのずれを回避する尾部巻き付けベルト２６の両端部が先端の環状部２６Ａ，２６Ａを介して嵌挿されている。
【００４２】
尾部巻き付けベルト２６は非伸縮性の帯状の厚手の布帛で構成され、排泄された糞便の水分などが含浸することがなく、容易に清掃することができるように、少なくとも尻尾６近傍部位は非透水性素材でなる被覆部２６Ａにより布帛が覆われている。また、尾部５への装着時に膚面に擦傷が生じないように非伸縮性の布帛と被覆部２６Ａとの間にはクッション部材が介装されている。
【００４３】
なお、尾部巻き付けベルト２６は全て非伸縮性の布帛で構成する必要はなく、尾部５側の背部固定ベルト２５に連結する箇所に伸縮性素材を用いても良い。この場合、尾部巻き付けベルト２６の長さを調節可能に構成して尾部巻き付けベルト２６にある程度の張力を加えることで、四足動物の動作に応じて保温衣料が動いても伸縮性素材で尾部巻き付けベルト２６の接触状態が安定に維持されるようになる。その結果、尻尾６近傍部位の膚面への擦れが回避され、膚面に擦傷が生じる可能性をさらに低減できるようになる。
【００４４】
首部固定ベルト２７は首回り被覆部１６の表側面右方前部（装着状態で頭部を向いた上面視での左右方向、前後方向を基準とする）に縫着固定され、子牛１の首部３を右側方から上側を通って左側方に巻き付けて、首部固定ベルト２７の先端側及び首回り被覆部１６の表側面左方前部（装着状態で頭部を向いた上面視での左右方向、前後方向を基準とする）に設けられた面ファスナー２８を用いて係合固定するように構成されている。
【００４５】
腿部固定ベルト２１及び背部固定ベルト２５，２５は長さ調節可能に構成され、子牛１の成長に伴って体表面にフィットするように長さが調整される。
【００４６】
図３（ｃ）には、子牛１に首及び腹回り被覆部１４，１６と胴回り被覆部１２が装着された状態が示されている。首及び腹回り被覆部１４，１６が装着された後に胴回り被覆部１２が装着される。
【００４７】
各被覆部１２，１４，１６（１０）は、保温効果を高めるべく少なくとも身体に接する肌側生地層１０Ａと外気に接触する表側生地層１０Ｂを含む二層以上の複層生地で構成され、肌側生地層１０Ａの肌側面の布帛が撥水加工され、表側生地層１０Ｂの布帛の表側面が防水加工されている。
【００４８】
肌側面の布帛は、例えばナイロン系の生地で構成することができ、フッ素系樹脂などの撥水機能を示す薬剤を含む撥水処理液に生地がディッピングされることにより、両面が撥水加工されている。従って、液状の水は生地面ではじかれるが蒸気の透過性は許容される。なお、肌側面の布帛を構成する繊維はナイロンに限るものではなく、他の疎水性の繊維を用いることができる。
【００４９】
表側面の布帛は、例えばナイロン系の生地が用いられ、その表面にウレタンコーティングした防水加工層が形成されている。従って、表面からは液状の水のみならず蒸気も透過することがないように構成されている。撥水処理液に生地がディッピングされている場合には、表側面の布帛の裏面には撥水性が現れる。表側面の布帛として、ポリエステル系の生地を用い生地面にＰＶＣ加工を施したものを用いることも可能である。
【００５０】
外気に接触する表側生地層１０Ａの表側面が防水加工されているため、降雨時や濡れた床面に身体が接触するような場合でも被覆部１０の表側生地層１０Ａに水が浸潤するようなことがなく、また身体に接する肌側生地層１０Ｂの肌側面が撥水加工されているため、体表面から出た汗が肌側生地層１０Ｂに容易に浸潤するようなことがなく、気化した湿分が体表面と肌側生地層１０Ｂとの隙間から外気に放出されるようになるので、体表面が蒸れたり冷えたりすることが大きく低減される。この様にして子牛１の身体を被覆部１０で覆い、固定具２０でその状態が保持されることにより、子牛１の体表面が保温される。
【００５１】
殊に、胴回り被覆部１２では、降雨時でも良好に胴回りからの放熱を阻止して保温でき、腹回り被覆部１４によって腹部の冷えを回避でき、子牛が伏せた場合に腹部が厩舎の濡れた床面や地面に触れるようなことがあっても、水が浸潤することなく腹回りからの放熱を阻止して良好に保温でき、腹回り保温部１６によって心臓につながる大きな動脈が通る首から胸垂を保温することで体温の低下を効果的に防ぐことができる。
【００５２】
図４（ａ），（ｂ）には、被覆部１０の断面構造が示されている。図４（ａ）に示すように、被覆部１０は、外気と接する表面が防水加工された表側生地層１０Ａと、子牛１の肌に接する肌側面が撥水加工された肌側生地層１０Ｂとを備え、表側生地層１０Ａと肌側生地層１０Ｂとの間に保温層となる空間Ａが形成されている。
【００５３】
肌側生地層１０Ｂは、肌側生地１０Ｃと、反肌側生地１０Ｅと、中綿層１０Ｄで構成され、肌側生地１０Ｃと反肌側生地１０Ｅの間に中綿層１０Ｄを挟んだ状態で縫製されたキルティング加工された生地で構成されている。
【００５４】
肌側生地層１０Ｂがキルティング加工されていると、縫着線が谷部となり、隣接する縫着線の中央部が山部となる凹凸面が子牛１の肌に対向し、発汗した汗が谷部を通り抜けて外気へと流出されるようになる。
【００５５】
肌側生地層１０Ｂのキルティング加工の格子寸法は１０ｍｍ以上、５０ｍｍ以下であることが好ましい。肌側生地層１０Ｂに形成されたキルティング加工の格子寸法が１０ｍｍ以上、５０ｍｍ以下であると、肌面と肌側生地層１０Ｂとの間隙を通って良好に水分が放出される。１０ｍｍ未満であると十分な凹凸が形成されないため水分の放出効率が低下し、５０ｍｍより大きければキルティング生地の凸部が肌に接する面積が増え湿気の通り道となる凹部が少なくなるため、やはり水分の放出効率が低下する。
【００５６】
肌側生地層１０Ｂまたは表側生地層１０Ａの何れかに開口部３０が形成されていることが好ましく、仮に撥水加工された肌側生地層１０Ｂを蒸気が透過して肌側生地層１０Ｂ及び表側生地層１０Ａの内部が湿った状態になっても、開口部３０から速やかに湿気を外部に放出させることができるようになる。
【００５７】
図４（ｂ）に示すように、肌側生地層１０Ｂと表側生地層１０Ａとの間に形成される空間Ａに中空綿のような繊維で構成される断熱材３５が設けられているとさらに保温性を向上させることができる。空間Ａが断熱材装着空間となる。
【００５８】
開口部３０を介して断熱材３５が挿脱可能に構成されていると、湿気放出用の開口部３０から断熱材３５を出し入れできるので、状況に応じて保温衣料１００による保温性を調節できるようになる。
【００５９】
本実施形態では、胴回り被覆部１２のうち表側生地層１０Ａに開口部３０が形成され、当該開口部３０に開放状態と閉塞状態を切り替えるジッパーが設けられている。また、首及び腹回り被覆部１４，１６のうち肌側生地層１０Ｂに開口部３０が形成され、当該開口部３０に開放状態と閉塞状態を切り替えるジッパーが設けられている。なお、開口部３０を開閉切替するための機構としてジッパーに替えて面ファスナーやスナップボタンなどを用いてもよい。
【００６０】
胴回り被覆部１２の表側生地層１０Ａに開閉切替可能な開口部３０が形成されていると、子牛１への装着状態で湿気を良好に放出し、あるいは断熱材３５の出し入れが容易くできるようになる。また、首及び腹回り被覆部１４，１６の肌側生地層１０Ｂに開閉切替可能な開口３０が形成されていると、子牛が伏せた場合に腹部が厩舎の濡れた床面や地面に触れるようなことがあっても、ジッパーを介して水が内部に流入するようなことがない。
【００６１】
断熱材に替えて、肌側生地層１０Ｂと表側生地層１０Ａとの間に通気性を備えた中間生地層が設けられていてもよい。中間生地層に通気性を持たせることにより、肌側生地層１０Ｂから内部に透過した湿気を中間生地層に吸収することができ、内部で結露の発生を回避することができる。
【００６２】
上述した実施形態では、身体に接する肌側生地層１０Ｂの肌側面が撥水加工された例を説明したが、当該肌側面となる肌側生地１０Ｃが防水加工されていてもよい。その場合には、体表面から発生した汗などが吸水されないため、生地が保水するようなことがない。
【００６３】
上述した実施形態では、首及び腹回り被覆部１４，１６として、首回り被覆部１６と腹回り被覆部１４とが一体に構成された例を説明したが、それぞれを別体で構成してもよい。この場合、連結部１５に面ファスナーなどを設けて一体に結合できるように構成してもよい。
【００６４】
以上説明した実施形態は、何れも本発明の一例に過ぎず、当該記載により本発明が限定されるものではなく、保温衣料を構成する各部の素材、形状サイズなどの具体的な構成は、本発明の作用効果が奏される範囲で適宜変更設計可能であることはいうまでもない。
【産業上の利用可能性】
【００６５】
本発明は、四足動物の保温性能に優れ、発汗が生じた場合でも蒸れの発生や冷えを招くことがない四足動物用の保温衣料として、様々な四足動物に好適に用いることができる。
【符号の説明】
【００６６】
１：四足歩行動物（子牛）
１０：被覆部
２０：固定具
１０Ａ：表側生地層
１０Ｂ：肌側生地層
１２：胴回り被覆部
１４：腹回り被覆部
１６：首回り被覆部
３０：開口部
３５：断熱材
１００：保温衣料
【図１】
2019216615.tif 000003
【図２】
2019216615.tif 000004
【図３】
2019216615.tif 000005
【図４】
2019216615.tif 000006